(57)【要約】【課題】物品の取り出し用の空間部を形成する際に表示ラベル類を破損することが無く、取り出し用の空間部を介して物品を取り出した後も再使用が可能な物品包装箱を提供する。【解決手段】段ボール製包装箱において、内フラップ３ａに折り曲げ線３１ａと平行に切り込み線２１ａを形成し、内フラップ３ａから側面部１ａにまたがって切り込み線２１ａの中点から直角に切り込み線２２ａを形成する。切り込み線２１ａ、切り込み線２２ａ、折り曲げ線２３ａ、折り曲げ線２４ａで囲まれる面を押し出し、物品取り出し用の空間部４０ａを形成する。内フラップ３ｂに折り曲げ線３１ａと平行に切り込み線２１ｂを形成し、内フラップ３ｂから側面部１ｂにまたがって切り込み線２１ｂの中点から直角に切り込み線２２ｂを形成する。切り込み線２１ｂ、切り込み線２２ｂ、折り曲げ線２３ｂ、折り曲げ線２４ｂで囲まれる面を押し出し、物品取り出し用の空間部４０ｂを形成する。【選択図】図５
2011020708.tif 000002
【特許請求の範囲】
【請求項１】
直方体状の箱体の周壁部分を構成する４つの側面部と、それぞれ対応する前記側面部に第１の折り曲げ線を介して連接され上蓋を構成する一対の内フラップおよび一対の外フラップと、前記側面部に連接された底板とを備え、物品を収納する物品包装箱であって、
前記一対の内フラップに設けられ、前記第１の折り曲げ線に対して間隔をおいて形成された第１の切り込み線と、
前記一対の内フラップからそれぞれ対応する前記側面部にまたがって設けられ、前記第１の切り込み線に繋がる第２の切り込み線と、
前記一対の内フラップに設けられ、前記第１の切り込み線の両端と前記第１の折り曲げ線とに繋がる第２の折り曲げ線と、
前記一対の内フラップにそれぞれ対応する前記側面部に設けられ、前記第１の折り曲げ線と前記第２の折り曲げ線との接続部と前記第２の切り込み線における側面部側の終点とに繋がる第３の折り曲げ線と、を備え、
前記第１の切り込み線と前記第２の切り込み線と前記第２の折り曲げ線と前記第３の折り曲げ線により囲まれた部分が、該部分に対する押し出す動作により物品の取り出し用の空間部を形成することを特徴とする物品包装箱。
【請求項２】
前記第１の切り込み線は、前記第１の折り曲げ線に対して間隔をおいて平行に形成され、
前記第２の切り込み線は、始点が前記第１の切り込み線の中点に繋がると共に、前記第１の折り曲げ線に対して直角に前記第１の切り込み線の前記中点から前記第１の折り曲げ線をまたいで前記終点に繋がり、
前記第２の折り曲げ線は、前記第１の折り曲げ線に対して直角に前記第１の切り込み線の前記両端の始点および終点と前記第１の折り曲げ線とに繋がり、
前記第３の折り曲げ線は、前記第２の折り曲げ線と前記第１の折り曲げ線との接続部と前記第２の切り込み線の前記終点に繋がることを特徴とする請求項１記載の物品包装箱。
【請求項３】
前記第１の切り込み線は、前記物品包装箱を組み立てた状態で前記一対の外フラップの内側に隠れる状態となるように形成され、
前記第２の切り込み線は、前記物品包装箱に物品を収納すると共に前記一対の外フラップを封緘部材により封緘した状態で前記封緘部材により塞がれる状態となるように形成されることを特徴とする請求項１記載の物品包装箱。
【発明の詳細な説明】
【技術分野】
【０００１】
本発明は、製品を輸送する場合等の製品の収納に用いる物品包装箱に関する。
【背景技術】
【０００２】
従来、工場等から製品を出荷して輸送する場合は、一般的に、輸送中における製品の保護を図るために製品を段ボール製等の包装箱に収納して輸送する方法をとっている。段ボール製包装箱は、段ボール製包装箱内に収納した物品（製品）の品質を保つという観点からは、段ボール製包装箱の内部と物品との間の隙間はできるだけ少ない方が段ボール製包装箱内でガタが発生せず、物品を保護する上で優れている。
【０００３】
他方、段ボール製包装箱に対して物品を出し入れする際の作業性という観点からは、物品を出し入れするために、段ボール製包装箱の内部と物品との間にある程度の隙間が必要となる。その場合、段ボール製包装箱の内部と物品との間に隙間が少ないと取扱者の手が入らないため、物品を出し入れすることが困難となる。特に物品を取り出すことが困難となる。そのため、物品に取り出し用の部品を設けるか、段ボール製包装箱に取り出し用の紐などを入れる必要があった。
【０００４】
段ボール製包装箱からの物品の取り出しに関する例としては次のような技術が提案されている（例えば、特許文献１参照）。特許文献１に記載の段ボール製包装箱は、段ボール製包装箱の側面部とその上部に連接された内フラップの折り曲げ線をまたぐように形成された２本の水平な切り込み線と、その両端を互いに結ぶ折り曲げ線を有する。折り曲げ線の部分をほぼ直角に外側へ折り曲げることで、段ボール製包装箱に収納されている物品の上端部が露出し、そこにできる空間部に手を添えることで、物品を取り出すことができるようにしている。
【０００５】
また、段ボール製包装箱からの物品の取り出しに関する別の例としては次のような技術が提案されている（例えば、特許文献２参照）。特許文献２に記載の段ボール製包装箱は、段ボール製包装箱の内フラップと側面部に連接する折り曲げ線と、それに水平な折り曲げ線と、それらを結ぶ２本のカット線と、上端の折り曲げ線の繋がり部から端部に延びたカット線を有する。このカット線部分を切って物品の上端部を露出させることで、段ボール製包装箱に収納されている物品を取り出しやすくしている。
【先行技術文献】
【特許文献】
【０００６】
【特許文献１】特開２００２−２６４９２３号公報（第５頁、図５）
【特許文献２】特開２００３−２６１５２号公報（第４頁、図４）
【発明の概要】
【発明が解決しようとする課題】
【０００７】
しかしながら、特許文献１に記載の段ボール製包装箱は、上述したように段ボール製包装箱の側面部とその上部に連接された内フラップの折り曲げ線をまたぐように形成された２本の水平な切り込み線と、その両端を互いに結ぶ折り曲げ線を有する。従って、構造上、２本の水平な切り込み線は長い。そのため、段ボール製包装箱を組み立て、段ボール製包装箱に物品を収納してテープで封緘した後でも、段ボール製包装箱の内壁部と物品との間に隙間が多く生じるため防塵性にかける面がある。
【０００８】
また、段ボール製包装箱の折り曲げ線の部分をほぼ直角に外側へ折り曲げることで空間部を形成する際において、ほぼ直角に外側へ押し出す時に大きく変形する。そのため、段ボール製包装箱の側面部に貼付された表示ラベル類が破損する可能性がある。更に、側面部の面積が小さい段ボール製包装箱では、切り込み線が大きく取れず充分な空間が作れないため、使用に向いていないなどの問題がある。
【０００９】
また、特許文献２に記載の段ボール製包装箱は、上述したように内フラップと側面部に連接する折り曲げ線、それに水平な折り曲げ線、それらを結ぶ２本のカット線、上端の折り曲げ線の繋がり部から端部に延びたカット線を有する。そのため、段ボール製包装箱から物品を取り出す際にカット線部分より内フラップを切り取ってしまう構造であるため、段ボール製包装箱を再度利用できないという問題がある。
【００１０】
本発明の目的は、物品の取り出し用の空間部を形成する際に表示ラベル類を破損することが無く、取り出し用の空間部を介して物品を取り出した後も再使用が可能な物品包装箱を提供することにある。
【課題を解決するための手段】
【００１１】
上記目的を達成するために、本発明は、直方体状の箱体の周壁部分を構成する４つの側面部と、それぞれ対応する前記側面部に第１の折り曲げ線を介して連接され上蓋を構成する一対の内フラップおよび一対の外フラップと、前記側面部に連接された底板とを備え、物品を収納する物品包装箱であって、前記一対の内フラップに設けられ、前記第１の折り曲げ線に対して間隔をおいて形成された第１の切り込み線と、前記一対の内フラップからそれぞれ対応する前記側面部にまたがって設けられ、前記第１の切り込み線に繋がる第２の切り込み線と、前記一対の内フラップに設けられ、前記第１の切り込み線の両端と前記第１の折り曲げ線とに繋がる第２の折り曲げ線と、前記一対の内フラップにそれぞれ対応する前記側面部に設けられ、前記第１の折り曲げ線と前記第２の折り曲げ線との接続部と前記第２の切り込み線における前記側面部側の終点とに繋がる第３の折り曲げ線と、を備え、前記第１の切り込み線と前記第２の切り込み線と前記第２の折り曲げ線と前記第３の折り曲げ線により囲まれた部分が、該部分に対する押し出す動作により物品の取り出し用の空間部を形成することを特徴とする。
【発明の効果】
【００１２】
本発明によれば、第１の切り込み線、第２の切り込み線、第２の折り曲げ線、第３の折り曲げ線により囲まれた部分が、該部分に対する押し出す動作により物品の取り出し用の空間部を形成する。これにより、物品包装箱に取り出し用の空間部を形成する際に物品包装箱に貼付された表示ラベル類を破損することが無い。また、物品包装箱から取り出し用の空間部を介して物品を取り出した後も物品包装箱の再使用が可能となる。
【図面の簡単な説明】
【００１３】
【図１】本発明の実施の形態に係る物品包装箱としての段ボール製包装箱の内フラップと外フラップを開いた状態を示す斜視図である。
【図２】段ボール製包装箱を展開した状態を示す展開図である。
【図３】段ボール製包装箱に物品を収納した状態を示す斜視図である。
【図４】（ａ）は、段ボール製包装箱における切り込み線の形成箇所を含む部分を示す斜視図、（ｂ）は、段ボール製包装箱に形成した物品取り出し用の空間部を含む部分を示す斜視図である。
【図５】物品取り出し用の空間部を形成した段ボール製包装箱に物品を収納した状態を示す斜視図である。
【図６】段ボール製包装箱から物品取り出し用の空間部を介して物品を取り出す状態を示す斜視図である。
【図７】段ボール製包装箱に物品を収納しテープにより封緘した状態を示す斜視図である。
【発明を実施するための形態】
【００１４】
以下、本発明の実施の形態を図面に基づいて説明する。
【００１５】
図１は、本発明の実施の形態に係る物品包装箱としての段ボール製包装箱の内フラップと外フラップを開いた状態を示す斜視図である。図２は、段ボール製包装箱を展開した状態を示す展開図である。
【００１６】
図１、図２において、段ボール製包装箱１０１は、物品を収納するための例えば段ボールから形成された直方体状の包装箱として構成されている。段ボール製包装箱１０１は、側面部１ａ、側面部１ｂ、側面部２ａ、側面部２ｂ、内フラップ３ａ、内フラップ３ｂ、外フラップ４ａ、外フラップ４ｂ、内フラップ５ａ、内フラップ５ｂ、外フラップ６ａ、外フラップ６ｂから構成されている。側面部１ａ〜外フラップ６ｂは、図２に示すように長手方向の折り曲げ線３１ａ及び折り曲げ線３１ｂと短手方向の折り曲げ線を介して一体に形成されており、連接した折り曲げ線を介して折り曲げることで包装箱として組み立てられる。
【００１７】
側面部１ａ、側面部１ｂ、側面部２ａ、側面部２ｂは、直方体状の箱体の周壁部分を構成している。一対の内フラップ３ａ及び内フラップ３ｂ、一対の外フラップ４ａ及び外フラップ４ｂは、段ボール製包装箱１０１の上蓋を形成する部分である。一対の内フラップ５ａ及び内フラップ５ｂ、一対の外フラップ６ａ及び外フラップ６ｂは、段ボール製包装箱１０１の底板を形成する部分である。段ボール製包装箱１０１を組み立てた状態において、上蓋の部分は、内フラップ３ａ及び内フラップ３ｂが外フラップ４ａ及び外フラップ４ｂの内側に隠れる構造となっている。
【００１８】
側面部１ａ、側面部１ｂ、側面部２ａ、側面部２ｂの長手方向の隣り合う端部同士は、連接している。また、側面部１ａ、側面部１ｂ、側面部２ａ、側面部２ｂの短手方向の一方の端部は、それぞれ対応する、上蓋形成用の内フラップ３ａ、内フラップ３ｂ、外フラップ４ａ、外フラップ４ｂに折り曲げ線３１ａ（第１の折り曲げ線）を介して連接している。また、側面部１ａ、側面部１ｂ、側面部２ａ、側面部２ｂの短手方向の他方の端部は、それぞれ対応する、底板形成用の内プラップ５ａ、内フラップ５ｂ、外フラップ６ａ、外フラップ６ｂに折り曲げ線３１ｂを介して連接している。
【００１９】
内フラップ３ａには、該内フラップ３ａと側面部１ａとの間の折り曲げ線３１ａに対して間隔をおいて平行に、水平な切り込み線２１ａ（第１の切り込み線）が形成されている。また、内フラップ３ａと側面部１ａにまたがって、切り込み線２１ａに対して直角に、垂直な切り込み線２２ａ（第２の切り込み線）が形成されている。即ち、切り込み線２２ａは、折り曲げ線３１ａをまたいで該折り曲げ線３１ａに対して直角に形成されている。切り込み線２２ａの一方の端部の点（始点）は、切り込み線２１ａの中点において該切り込み線２１ａに繋がっている。
【００２０】
同様に、内フラップ３ｂには、該内フラップ３ｂと側面部１ｂとの間の折り曲げ線３１ａに対して間隔をおいて平行に、水平な切り込み線２１ｂ（第１の切り込み線）が形成されている。また、内フラップ３ｂと側面部１ｂにまたがって、切り込み線２１ｂに対して直角に、垂直な切り込み線２２ｂ（第２の切り込み線）が形成されている。即ち、切り込み線２２ｂは、折り曲げ線３１ａをまたいで該折り曲げ線３１ａに対して直角に形成されている。切り込み線２２ｂの一方の端部の点（始点）は、切り込み線２１ｂの中点において該切り込み線２１ｂに繋がっている。
【００２１】
また、切り込み線２１ａの一方の端部の点（始点）と他方の端部の点（終点）のそれぞれから、折り曲げ線３１ａに対して直角に、折り曲げ線２３ａ（第２の折り曲げ線）が繋がっている。また、２本の折り曲げ線２３ａと折り曲げ線３１ａとの繋がり部（接続部）と、切り込み線２２ａの他方の端部の点（終点：側面部側の終点）との間に、それぞれ折り曲げ線２４ａ（第３の折り曲げ線）が繋がっている。
【００２２】
同様に、切り込み線２１ｂの一方の端部の点（始点）と他方の端部の点（終点）のそれぞれから、折り曲げ線３１ａに対して直角に、折り曲げ線２３ｂ（第２の折り曲げ線）が繋がっている。また、２本の折り曲げ線２３ｂと折り曲げ線３１ａとの繋がり部（接続部）と、切り込み線２２ｂの他方の端部の点（終点：側面部側の終点）との間に、それぞれ折り曲げ線２４ｂ（第３の折り曲げ線）が繋がっている。
【００２３】
内フラップ３ａと側面部１ａに形成された切り込み線２１ａ及び切り込み線２２ａと、切り込み線２１ａの始点及び終点、切り込み線２２ａの終点を結んだ上記折り曲げ線を含む部分は、側面部１ａ及び内フラップ３ａの面に対し同一面を形成している。切り込み線２１ａ及び切り込み線２２ａがＴ字型の切り込み線を構成している。
【００２４】
同様に、内フラップ３ｂと側面部１ｂに形成された切り込み線２１ｂ及び切り込み線２２ｂと、切り込み線２１ｂの始点及び終点、切り込み線２２ｂの終点を結んだ上記折り曲げ線を含む部分は、側面部１ｂ及び内フラップ３ｂの面に対し同一面を形成している。切り込み線２１ｂ及び切り込み線２２ｂがＴ字型の切り込み線を構成している。
【００２５】
図３は、段ボール製包装箱に物品を収納した状態を示す斜視図である。
【００２６】
図３において、段ボール製包装箱１０１には、例えば２個の物品１０２が収納されている。この場合、段ボール製包装箱１０１は、後述する物品取り出し用の空間部（図４参照）がまだ形成されていない状態となっている。そのため、段ボール製包装箱１０１の側面部１ａの内壁面と一方の物品１０２の端面との間の隙間Ｓ１と、側面部１ｂの内壁面と他方の物品１０２の端面との間の隙間Ｓ１は、小さいものとなっている。この状態では、段ボール製包装箱１０１の両側の隙間Ｓ１に作業者が手を入れて物品１０２を取り出しにくい。
【００２７】
図４（ａ）は、段ボール製包装箱における切り込み線の形成箇所を含む部分を示す斜視図、図４（ｂ）は、段ボール製包装箱に形成した物品取り出し用の空間部を含む部分を示す斜視図である。
【００２８】
図４において、段ボール製包装箱１０１に物品取り出し用の空間部を形成する方法を説明する。図４（ａ）は、段ボール製包装箱１０１の切り込み線２１ｂ、切り込み線２２ｂ、２本の折り曲げ線２３ｂ、２本の折り曲げ線２４ｂで囲まれた部分を、折り曲げ線３１ａの部分から矢印Ｆ方向に押し出す前の状態を示している。
【００２９】
切り込み線２１ｂと２本の折り曲げ線２３ｂ及び折り曲げ線２４ｂで囲まれた部分を、作業者が図中の矢印Ｆ方向へ押し出すことで、切り込み線２１ｂと切り込み線２２ｂにより二つの面に分かれる。これにより、図４（ｂ）に示すように、段ボール製包装箱１０１の長手方向の一方の端部に物品取り出し用の空間部４０ｂを形成することができる。同様に、段ボール製包装箱１０１の長手方向の他方の端部にも物品取り出し用の空間部４０ａ（図５参照）を形成することができる。
【００３０】
図５は、物品取り出し用の空間部を形成した段ボール製包装箱に物品を収納した状態を示す斜視図である。図６は、段ボール製包装箱から物品取り出し用の空間部を介して物品を取り出す状態を示す斜視図である。
【００３１】
図５において、段ボール製包装箱１０１に物品１０２を収納した状態では、段ボール製包装箱１０１の長手方向の両端部に、物品取り出し用の空間部４０ａ及び取り出し用の空間部４０ｂが形成されている。即ち、段ボール製包装箱１０１の長手方向の両端部に、それぞれ次の隙間Ｓ２が生じる。物品取り出し用の空間部４０ａの内壁面と一方の物品１０２の端面との間に形成される隙間Ｓ２と、物品取り出し用の空間部４０ｂの内壁面と他方の物品１０２の端面との間に形成される隙間Ｓ２である。
【００３２】
段ボール製包装箱１０１に形成した物品取り出し用の空間部４０ａ及び物品取り出し用の空間部４０ｂにより、段ボール製包装箱内の物品１０２の長手方向の両側における側面部の一部の上側部分が露出状態となる。そこで、図６に示すように、取扱者は段ボール製包装箱１０１の物品取り出し用の空間部４０ａと物品取り出し用の空間部４０ｂに手を入れ、物品１０２の側面部の上側部分を保持しながら取り出す。これにより、段ボール製包装箱内から物品１０２を容易に取り出すことができる。
【００３３】
図７は、段ボール製包装箱に物品を収納しテープにより封緘した状態を示す斜視図である。
【００３４】
図７において、段ボール製包装箱１０１は、物品が収納された後、上蓋用の内フラップ３ａ及び内フラップ３ｂと外フラップ４ａ及び外フラップ４ｂが閉じられ、テープ１０ａとテープ１０ｂ（封緘部材）により封緘される。切り込み線２１ａと切り込み線２１ｂは、外フラップ４ａと外フラップ４ｂの内側に隠れている。また、内フラップ３ａと内フラップ３ｂは、外フラップ４ａと外フラップ４ｂの内側に隠れている。
【００３５】
物品１０２を収納した段ボール製包装箱１０１を封緘するための封緘部材としてテープ１０ａ及びテープ１０ｂを用いているため、切り込み線２２ａ及び切り込み線２２ｂは、テープ１０ａ及びテープ１０ｂによって塞がれる。これにより、切り込み線２２ａ及び切り込み線２２ｂの隙間が開くことが無く、また切り込み線２２ａ及び切り込み線２２ｂから埃などが段ボール製包装箱１０１の内部に浸入することが無い。
【００３６】
また、切り込み線２２ａ及び切り込み線２２ｂは、テープ１０ａ及びテープ１０ｂの中央部分の裏側に位置する。これにより、大きいサイズの表示ラベルを段ボール製包装箱１０１に貼付した場合でも、物品取り出し用の空間部４０ａ、４０ｂの形成の際に破損することが無い。
【００３７】
以上詳細に説明したように、本実施の形態によれば以下の構成と効果を奏する。内フラップ３ａに折り曲げ線３１ａと間隔をおいて平行に切り込み線２１ａを形成し、内フラップ３ａから側面部１ａにまたがって切り込み線２１ａの中点から直角に切り込み線２２ａを形成する。また、内フラップ３ｂに折り曲げ線３１ａと間隔をおいて平行に切り込み線２１ｂを形成し、内フラップ３ｂから側面部１ｂにまたがって切り込み線２１ｂの中点から直角に切り込み線２２ｂを形成する。
【００３８】
段ボール製包装箱から段ボール製包装箱内に収納された物品を取り出す場合は、まず、内フラップ３ａ、内フラップ３ｂ、外フラップ４ａ、外フラップ４ｂを開く。次に、切り込み線２１ａ、切り込み線２２ａ、折り曲げ線２３ａ、折り曲げ線２４ａで囲まれる面を押し出し、物品取り出し用の空間部４０ａを形成する。また、切り込み線２１ｂ、切り込み線２２ｂ、折り曲げ線２３ｂ、折り曲げ線２４ｂで囲まれる面を押し出し、物品取り出し用の空間部４０ｂを形成する（図４参照）。
【００３９】
これにより、段ボール製包装箱の梱包物取り出し用の空間部に手を入れて物品を保持しながら、物品を容易に取り出すことができる。また、段ボール製包装箱から物品をいったん取り出して再度梱包を行う場合でも、段ボール製包装箱をそのまま出荷に再使用することが可能となる。即ち、段ボール製包装箱に物品取り出し用の空間部を形成する際に、段ボール製包装箱に貼付する表示ラベル類のサイズが大きい場合や側面部の面積が狭い場合などにおいても、表示ラベル類を破損することが無い。また、物品取り出し用の空間部を介して物品を取り出した後も段ボール製包装箱の再使用が可能となる。
【００４０】
更に、切り込み線２１ａと切り込み線２１ｂは、段ボール製包装箱を組み立てた状態で外フラップ４ａと外フラップ４ｂの内側に隠れる状態となるように形成している。また、切り込み線２２ａと切り込み線２２ｂは、段ボール製包装箱に物品を収納すると共に外フラップ４ａと外フラップ４ｂをテープ１０ａ及び１０ｂにより封緘した状態でテープ１０ａ及び１０ｂにより塞がれる状態となるように形成している。
【００４１】
これにより、段ボール製包装箱において切り込み線２２ａ及び切り込み線２２ｂの隙間が開くことが無く、また切り込み線２２ａ及び切り込み線２２ｂから埃などが段ボール製包装箱内部に浸入することが無い。その結果、段ボール製包装箱に収納した物品の保護を図ることが可能となる。
【００４２】
〔他の実施の形態〕
上記実施の形態では、一対の内フラップに折り曲げ線３１ａと平行に切り込み線２１ａ、２１ｂを形成し、一対の内フラップから対応する側面部にかけて切り込み線２１ａ、２１ｂの中点から直角に切り込み線２２ａ、２２ｂを形成した構成を例に挙げた。本発明はこれに限定されるものではない。一対の内フラップに折り曲げ線３１ａと間隔をおいて切り込み線をそれぞれ形成し、一対の内フラップから対応する側面部にかけて前記切り込み線の中点付近から前記切り込み線に交差する方向に切り込み線をそれぞれ形成する構成としてもよい。即ち、一対の内フラップにそれぞれ形成する一対の切り込み線の形成形態は本発明の主旨を逸脱しないものであればよい。
【００４３】
上記実施の形態では、本発明の物品包装箱を段ボール製包装箱に適用した場合を例に挙げた。本発明はこれに限定されるものではない。段ボール以外の素材を用いた包装箱にも適用することができる。
【符号の説明】
【００４４】
１ａ、１ｂ、２ａ、２ｂ  側面部
３ａ、３ｂ、５ａ、５ｂ  内フラップ
４ａ、４ｂ、６ａ、６ｂ  外フラップ
２１ａ、２１ｂ、２２ａ、２２ｂ  切り込み線
２３ａ、２３ｂ、２４ａ、２４ｂ  折り曲げ線
【図１】
2011020708.tif 000003
【図２】
2011020708.tif 000004
【図３】
2011020708.tif 000005
【図４】
2011020708.tif 000006
【図５】
2011020708.tif 000007
【図６】
2011020708.tif 000008
【図７】
2011020708.tif 000009